(57)【要約】【課題】  簡易かつ確実に資料提示装置の子機に対するネットワークＩＤの設定を行う。【解決手段】  資料提示システム１は、入力された資料の情報を出力すると共に所定のネットワークＩＤが設定された機器との間で無線通信を行う資料提示装置１０と、所定のネットワークＩＤを設定して資料提示装置１０との間で無線通信を行う子機２０とを含む。子機２０は、所定のネットワークＩＤの情報を有するバーコードを読み取るバーコードリーダー２１と、バーコードリーダー２１により読み取られた情報からネットワークＩＤを設定する設定手段とを備える。【選択図】  図１
2007324859.tif 000002
【特許請求の範囲】
【請求項１】
入力された資料の情報を出力すると共に所定のネットワークＩＤが設定された機器との間で無線通信を行う資料提示装置と、前記所定のネットワークＩＤを設定して前記資料提示装置との間で無線通信を行う子機と、を含む資料提示システムであって、
前記子機は、
前記所定のネットワークＩＤの情報を有するバーコードを読み取るバーコードリーダーと、
前記バーコードリーダーにより読み取られた情報からネットワークＩＤを設定する設定手段と、
を備えることを特徴とする資料提示システム。
【請求項２】
前記バーコードは、前記資料提示装置に貼り付けられていることを特徴とする請求項１に記載の資料提示システム。
【請求項３】
前記資料提示装置は、情報を表示する表示部を備え、
前記バーコードは、前記表示部に表示される、
ことを特徴とする請求項１に記載の資料提示装置。
【請求項４】
入力された資料の情報を出力すると共に所定のネットワークＩＤが設定された機器との間で無線通信を行う資料提示装置と、前記所定のネットワークＩＤを設定して前記資料提示装置との間で無線通信を行う子機と、を含む資料提示システムにおける前記子機であって、
前記所定のネットワークＩＤの情報を有するバーコードを読み取るバーコードリーダーと、
前記バーコードリーダーにより読み取られた情報からネットワークＩＤを設定する設定手段と、
を備える子機。
【発明の詳細な説明】
【技術分野】
【０００１】
本発明は、例えばプレゼンテーション等において資料を提示するための資料提示システム、及び当該資料提示システムにおける子機に関する。
【背景技術】
【０００２】
従来から、プレゼンテーション等において資料が提示される際には、入力された資料又は予め記憶している資料をスクリーンに出力するための資料提示装置が用いられる。このような資料提示装置に対して、離れたところからでも操作するためやデータを送受信するために、資料提示装置との間で無線通信を行うための子機が用いられている（例えば、下記特許文献１及び２参照）。
【０００３】
通常、上記の子機が特定の資料提示装置とのみ通信を行えるようにするため、資料提示装置と子機とに共通のネットワークＩＤが設定される。子機におけるネットワークＩＤの設定方法には、例えば、次のような方法がある。（１）ネットワークＩＤを示す数字に対応するディップスイッチを設けておき、その数字を合わせる。（２）入力キーを備える子機の場合、ネットワークＩＤを当該入力キーから入力する。（３）パソコン等の外部機器を有線で接続して、外部機器からネットワークＩＤを設定する。（４）（製造された工場等において）特定の資料提示装置のネットワークＩＤを予め設定しておく。
【特許文献１】特開２００４−３０４３９１号公報
【特許文献２】特開２００５−２４４３３２号公報
【発明の開示】
【発明が解決しようとする課題】
【０００４】
しかしながら、上記の各設定方法には以下のような問題点がある。（１）ディップスイッチを用いる場合は、ネットワークＩＤの数が多くても数十個程度に限られてしまう。これにより、無線通信の電波の届く範囲内で誤って同じＩＤを設定してしまうおそれがあり、情報漏えいの危険が高い。（２）入力キーを用いる場合は、桁数が多くなると入力が煩わしく、誤入力のおそれもある。（３）外部機器から設定する場合は、外部機器がある場合しかネットワークＩＤの設定を実行することができない。（４）予め設定しておく場合は、設定に係る特定の資料提示装置との間でしか通信を行うことができず、別の資料提示装置に対して子機を使用したくても使用することができない。
【０００５】
本発明は、以上の問題点を解決するためになされたものであり、簡易かつ確実に資料提示装置の子機に対するネットワークＩＤの設定を行うことができる資料提示システム及び資料提示システムの子機を提供することを目的とする。
【課題を解決するための手段】
【０００６】
本発明に係る資料提示システムは、入力された資料の情報を出力すると共に所定のネットワークＩＤが設定された機器との間で無線通信を行う資料提示装置と、所定のネットワークＩＤを設定して資料提示装置との間で無線通信を行う子機と、を含む資料提示システムであって、子機は、所定のネットワークＩＤの情報を有するバーコードを読み取るバーコードリーダーと、バーコードリーダーにより読み取られた情報からネットワークＩＤを設定する設定手段と、を備えることを特徴とする。
【０００７】
本発明に係る資料提示システムでは、子機のバーコードリーダーによりバーコードからネットワークＩＤの情報が読み取られて、当該読み取られた情報からネットワークＩＤが設定される。従って、子機のユーザはバーコードリーダーをバーコードにかざす等のバーコードを読み取るための操作を行うだけで、簡易にネットワークＩＤを設定することができる。また、バーコードから読み取られた情報に基づいて設定が行われるので、誤入力を防止することができ確実にネットワークＩＤの設定を行うことができる。
【０００８】
また、バーコードは、資料提示装置に貼り付けられていることが望ましい。この構成によれば、バーコードの読み取りの誤りを防止することができる。
【０００９】
また、資料提示装置は、情報を表示する表示部を備え、バーコードは、表示部に表示される、ことが望ましい。この構成によれば、バーコードの読み取りの誤りを防止すると共にバーコードを印刷した媒体が不要となり簡易な構成で本発明を実施することができる。
【００１０】
本発明に係る資料提示システムは、資料提示装置と子機とを含んで構成されているが、子機もそれ自体が特に新規な特徴を有している。即ち、本発明に係る子機は、入力された資料の情報を出力すると共に所定のネットワークＩＤが設定された機器との間で無線通信を行う資料提示装置と、所定のネットワークＩＤを設定して資料提示装置との間で無線通信を行う子機と、を含む資料提示システムにおける子機であって、所定のネットワークＩＤの情報を有するバーコードを読み取るバーコードリーダーと、バーコードリーダーにより読み取られた情報からネットワークＩＤを設定する設定手段と、を備えることを特徴とする。
【発明の効果】
【００１１】
本発明によれば、子機のユーザはバーコードリーダーをバーコードにかざす等のバーコードを読み取るための操作を行うだけで、簡易にネットワークＩＤを設定することができる。また、バーコードから読み取られた情報に基づいて設定が行われるので、誤入力を防止することができ確実にネットワークＩＤの設定を行うことができる。
【発明を実施するための最良の形態】
【００１２】
以下、図面とともに本発明の好適な実施形態について詳細に説明する。なお、図面の説明においては同一要素には同一符号を付し、重複する説明を省略する。
【００１３】
図１に本実施形態に係る資料提示システム１の外観構成を示す。また、図２に本実施形態に係る資料提示システム１のハードウェア構成を示す。資料提示システム１は、会議のプレゼンテーション等において資料を提示するためのものである。資料提示システム１には、入力された資料の情報を出力する資料提示装置１０と、資料提示装置１０との間で無線通信を行う子機２０とが含まれる。図１に示すように資料提示装置１０は、プロジェクタ３０にケーブルにより接続されており、プロジェクタ３０に資料の情報を出力する。プロジェクタ３０が入力された資料の情報をスクリーン４０に映し出すことによって、資料の提示が行われる。
【００１４】
上記の子機２０は、資料提示装置１０に対する操作や資料提示装置１０との間で情報を送受信するためのものである。即ち、子機２０と、資料提示装置１０とは双方向の通信を行う。資料提示装置１０に対する操作としては、入力切替、ポインタの操作、出力される画面の拡大縮小及び資料の再生や停止等がある（即ち、子機２０は、リモコンの機能を有する）。資料提示装置１０との間の情報の送受信は、例えば、資料提示装置１０との間での資料の情報の入出力等のために行われる。図１及び図２では、子機２０は一つしか記載されていないが、１つの資料提示装置１０に対して複数の子機２０が無線通信を行うものであってもよい。同じネットワークＩＤが設定された複数の子機２０がある場合は、子機２０同士で無線通信を行うこともできる。資料提示装置１０と子機２０との間の無線通信は、上述した使用態様を考慮して、近距離無線通信であることが好ましい。
【００１５】
続いて、以下の各装置の構成を示す。資料提示装置１０は、図１に示すように資料提示装置本体５０と、無線通信を行うための無線通信モジュール６０とを含んで構成される。資料提示装置本体５０は、カメラ５１、情報入力部（図示せず）、ディスプレイ５２（表示部）、制御部（図示せず）、タッチパネル５３等を備えて構成される。上記の情報入力部及び制御部等の機能的な構成要素は、資料提示装置本体５０が備えるＣＰＵ（Central Processing Unit）及びメモリ等のハードウェアにより実現される。
【００１６】
カメラ５１は、情報を出力するための資料Ｄを撮像するための装置である。情報入力部は、資料提示装置本体５０に接続されたパソコンやビデオ装置等の資料出力装置から資料の情報が入力される部分である。カメラ５１及び情報入力部から入力された資料の情報は、切替部に送信される。ディスプレイ５２は、カメラ５１によって撮像された情報、又は情報入力部に入力された資料を、静止画像又は動画像として表示する部分である。制御部は、情報の入出力処理やディスプレイ５２への表示処理等を、統括的に制御する部分である。タッチパネル５３は、ディスプレイ５２に対するユーザからの指示の入力を受け付けるパネルである。資料提示装置本体５０は、これらの構成要素によって、資料の情報を入力してプロジェクタ３０に出力する。
【００１７】
無線通信モジュール６０は、資料提示装置１０が無線通信を行うためのモジュールである。上述したように無線通信は、子機２０から資料提示装置１０への操作や、資料の情報の送受信のために行われる。無線通信モジュール６０には、資料提示装置１０毎に一意となるネットワークＩＤが設定されており、同一のネットワークＩＤが設定された機器としか通信を行わない。無線通信モジュール６０は、受信した無線通信のための信号に自身に設定されたネットワークＩＤが含まれるか否か判断して、当該ネットワークＩＤが含まれていない場合は当該信号に対する処理を行わない。信号に、ネットワークＩＤが含まれている場合は当該信号を資料提示装置本体５０に送信する。ネットワークＩＤは、具体的には例えば、予め桁数が定められた数桁の数字である。ネットワークＩＤの設定は、例えば、工場出荷時に予め行われている。
【００１８】
また、図１及び図２に示すように、無線通信モジュール６０には、上記の資料提示装置１０毎に一意となるネットワークＩＤの情報を有するバーコード６１が貼り付けられている。バーコード６１は、無線通信モジュール６０の表面に印刷されていてもよいし、印刷された紙が貼り付けられていてもよい。また、このバーコード６１は、図１に示すような（１次元）バーコードでもよいし、２次元バーコードが用いられてもよい。このバーコード６１は、子機２０においてネットワークＩＤを設定するためのものであるが、詳しくは後述する。
【００１９】
図２に示すように、無線通信モジュール６０は、アンテナ６２と、ＲＦ（RadioFrequency）回路６３と、ＣＰＵ６４と、メモリ６５と、インターフェース６６とを備えて構成される。アンテナ６２と、ＲＦ回路６３とは、無線通信を行うために信号を送受信する部分である。アンテナ６２及びＲＦ回路６３により、子機２０から信号が受信されてＣＰＵ６４に出力され、ＣＰＵ６４から入力された信号が子機２０に送信される。
【００２０】
ＣＰＵ６４は、無線通信モジュール６０における処理、例えば、子機２０との間の信号の送受信及び資料提示装置本体５０との間の情報の送受信の処理の統括的な制御を行う。また、ＣＰＵ６４は、上記のネットワークＩＤに関する制御も行う。メモリ６５は、無線通信モジュール６０における処理に必要な情報を記憶しておく部分である。ネットワークＩＤの設定に関する情報もメモリ６５が記憶している。メモリ６５は、必要に応じてＣＰＵ６４からアクセスされる。インターフェース６６は、資料提示装置本体５０との間で送受信される情報のインターフェースである。
【００２１】
図１及び図２に示すように子機２０は、バーコードリーダー２１と、バーコードデコーダー２２と、アンテナ２３と、ＲＦ回路２４と、ＣＰＵ２５と、メモリ２６と、操作部２７と、表示部２８とを備えて構成される。
【００２２】
バーコードリーダー２１は、バーコードを読み取る部分である。バーコードリーダー２１に読み取られるバーコードには、上述した資料提示装置１０毎に一意となるネットワークＩＤの情報を有するバーコード６１も含まれる。バーコードリーダー２１は、読み取ったバーコード６１の信号をバーコードデコーダー２２に出力する。
【００２３】
バーコードデコーダー２２は、バーコードリーダー２１により読み取られた信号をデコードするための部分である。バーコードリーダー２１が、ネットワークＩＤの情報を読み取った場合、バーコードデコーダー２２は、バーコードリーダー２１から出力された信号からネットワークＩＤの情報を取得する。取得されたネットワークＩＤの情報はＣＰＵ２５に出力される。
【００２４】
また、バーコードリーダー２１と、バーコードデコーダー２２とは、資料の識別コードとして用いられるバーコードを読み取るものであってもよい。資料の識別コードとは、予め資料提示装置本体５０に記憶された資料（コンテンツ）と対応付けられたものである。当該識別コードを子機２０から資料提示装置１０に送信することにより、識別コードに対応付けられた資料を資料提示装置１０から出力させること等ができる。
【００２５】
アンテナ２３と、ＲＦ回路２４とは、無線通信を行うために信号を送受信する部分である。アンテナ２３及びＲＦ回路２４により、資料提示装置１０の無線通信モジュール６０から信号が受信されてＣＰＵ２５に出力され、ＣＰＵ２５から入力された信号が資料提示装置１０の無線通信モジュール６０に送信される。なお、送信される信号には、設定されたネットワークＩＤが含められている。
【００２６】
ＣＰＵ２５は、子機２０における処理、例えば、資料提示装置１０の無線通信モジュール６０との間の信号の送受信、操作部２７からの入力の処理及び表示部２８への表示の処理の統括的な制御を行う。また、ＣＰＵ２５は、バーコードデコーダー２２から入力された情報がネットワークＩＤの情報であった場合、当該ネットワークＩＤの設定を行う設定手段でもある。メモリ２６は、子機２０における処理に必要な情報を記憶しておく部分である。ネットワークＩＤの設定に関する情報もメモリ２６が記憶している。
【００２７】
操作部２７は、資料提示装置１０に対して操作の入力のための部分である。具体的には、操作部２７は、操作のための機能が割り当てられた複数のボタンを有しており、ユーザによりボタンが押下されることにより、操作を行うための入力がなされる。なお、バーコードリーダー２１によるバーコード６１の読み取りは、操作部２７における所定のボタン（例えば、バーコードボタン）がユーザにより押下された場合のみに行われるようにしてもよい。
【００２８】
表示部２８は、所定の情報を表示する部分である。表示部２８に表示される情報としては、資料提示装置１０に対して送信した操作の情報等である。子機２０におけるネットワークＩＤの設定時に、ネットワークＩＤが表示されるようにしてもよい。
【００２９】
引き続いて、図３のフローチャートを用いて、本実施形態に係る資料提示システム１の動作を説明する。本動作は、子機２０において、資料提示装置１０に対応するネットワークＩＤを設定する際の動作である。
【００３０】
まず、子機２０のバーコードリーダー２１によって、資料提示装置１０の無線通信モジュール６０に貼り付けられたバーコード６１が読み込まれる（Ｓ０１）。このバーコード６１の読み込みは、ユーザが操作部２７のバーコードボタンを押下して、バーコードリーダー２１をバーコード６１にかざすことにより行われる。読み込まれたバーコード６１の信号は、バーコードデコーダー２２に出力される。
【００３１】
続いて、バーコードデコーダー２２によって、バーコードの信号が解析されてネットワークＩＤが取得される（Ｓ０２）。取得されたネットワークＩＤは、ＣＰＵ２５に送信される。
【００３２】
続いて、ＣＰＵ２５では、バーコードデコーダー２２によって取得された情報がネットワークＩＤであるか否かが判断される（Ｓ０３）。この判断は、当該情報がネットワークＩＤのフォーマットに合致するものか否かを判定することにより行われる。例えば、ネットワークＩＤを予め桁数が決められた数値としておき、得られた情報が当該桁数の数値であるか否かにより判定される。
【００３３】
当該情報がネットワークＩＤであった場合には、ＣＰＵ２５により、当該ネットワークＩＤが設定される（Ｓ０４）。ＩＤの設定は、具体的には例えば、メモリ２６上の設定されるネットワークＩＤが記憶される箇所に、当該ネットワークＩＤが書き込まれることにより行われる。なお、その時点で、別のネットワークＩＤが設定されていた場合は、設定が上書きされる。これによって、上書きされたネットワークＩＤに対応する資料提示装置１０とは通信を行えなくなるが、上書きしたネットワークＩＤに対応する資料提示装置１０と通信を行うことが可能になる。
【００３４】
当該情報がネットワークＩＤでなかった場合には、ＣＰＵ２５は、当該バーコードに従った処理を行う（Ｓ０５）。例えば、バーコードから読み取られた情報が上述した資料に対応する識別コードであれば、操作部２７からの送信する旨の操作を受けて、当該識別コードを資料提示装置１０に送信する処理を行う。以上が、本実施形態に係る資料提示システム１の動作である。
【００３５】
上述したように本実施形態に係る資料提示システム１では、子機２０のバーコードリーダー２１によりバーコード６１からネットワークＩＤの情報が読み取られて、当該読み取られた情報からネットワークＩＤが設定される。従って、子機２０のユーザはバーコードリーダー２１をバーコード６１にかざす等のバーコード６１を読み取るための操作を行うだけで、簡易にネットワークＩＤを設定することができる。また、バーコード６１から読み取られた情報に基づいて設定が行われるので、誤入力を防止することができ確実にネットワークＩＤの設定を行うことができる。
【００３６】
容易かつ確実にネットワークＩＤの設定ができるので、資料提示装置１０と子機２０との間のネットワークの形成や変形が、非常にフレキシブルに行うことができる。例えば、学校で生徒個々が子機２０一台を持ち、受講する科目の教室に出向いた先でそのＩＤに設定変更することで、その授業に出席している人々間のみのネットワークが形成できる。
【００３７】
また、本実施形態のように、資料提示装置１０に格納された資料（コンテンツ）に対応した識別コードをバーコード化して、子機２０に識別コードを読み取るため等の目的で予めバーコードリーダーが備えられている場合、少しの変更で本発明を実施することができる。即ち、容易に本発明を実施することができる。また、バーコード６１を用いているので、ディップスイッチを用いたときのようにネットワークＩＤが数十個程度に限られることもない。また、ネットワークＩＤの設定のための外部機器も不要である。
【００３８】
また、本実施形態のように、バーコード６１を資料提示装置１０の無線通信モジュール６０に貼り付けられているものとすれば、目的のもの以外の資料提示装置１０に係るバーコード６１を読み取ることを防止することができ、バーコード６１の読み取りの誤りを防止することができる。
【００３９】
但し、バーコード６１は、必ずしも本実施形態のような態様をとる必要はなく、子機２０のバーコードリーダー２１により読み取られるところにあればよい。例えば、資料提示装置本体５０に予めバーコード６１のデータを保持しておき、資料提示装置本体５０のディスプレイ５２に表示させることとしてもよい。その場合、バーコード６１の読み取りの誤りを防止すると共にバーコード６１を印刷した媒体が不要となり簡易な構成で本発明を実施することができる。また、バーコード６１を取扱説明書等に添付することとしてもよい。
【図面の簡単な説明】
【００４０】
【図１】本発明の実施形態における資料提示システムの概観構成を示す図である。
【図２】本発明の実施形態における資料提示システムの機能構成を示す図である。
【図３】本発明の実施形態における資料提示システムでの動作を示すフローチャートである。
【符号の説明】
【００４１】
１…資料提示システム、１０…資料提示装置、２０…子機、２１…バーコードリーダー、２２…バーコードデコーダー、２３…アンテナ、２４…ＲＦ回路、２５…ＣＰＵ、２６…メモリ、２７…操作部、２８…表示部、３０…プロジェクタ、４０…スクリーン、５０…資料提示装置本体、５１…カメラ、５２…ディスプレイ、５３…タッチパネル、６０…無線通信モジュール、６１…バーコード、６２…アンテナ、６３…ＲＦ回路、６４…ＣＰＵ、６５…メモリ、６６…インターフェース。
【図１】
2007324859.tif 000003
【図２】
2007324859.tif 000004
【図３】
2007324859.tif 000005